(57)【特許請求の範囲】
【請求項１】
入水路を通して供給される水を加熱手段により加熱して出湯路に出湯する水加熱用の熱交換器と、電解槽に供給される湯水を電気分解して生成される次亜塩素酸水を供給する電解装置とが一体状態に組み込まれ、
前記加熱手段の加熱作動および前記電解装置の作動を制御する制御手段が設けられ、
前記熱交換器と前記電解装置とが、共通のケーシング内に組み込まれ、
前記ケーシングは、その前面カバーを本体部に対して開閉自在に構成され、
前記熱交換器が、前記ケーシングの本体部に保持され、
前記電解装置が、前記ケーシングの前面カバーの裏面側に、その前面カバーとともに前記本体部に対して開閉されるように設けられている電解装置付き給湯装置。
【請求項２】
前記電解装置は、電気分解により発生する発生水素を触媒により酸化反応させる発生水素処理手段を備えている請求項１に記載の電解装置付き給湯装置。
【請求項３】
前記電解装置は、前記入水路を通して供給される水を電気分解するように構成されている請求項１又は２のいずれか１項に記載の電解装置付き給湯装置。
【請求項４】
前記電解装置は、前記熱交換器により加熱された加熱湯水を電気分解するように構成されている請求項１〜３のいずれか１項に記載の電解装置付き給湯装置。
【請求項５】
前記入水路を通して供給される水または前記熱交換器により加熱された加熱湯水を前記電解装置に供給する電解状態と、前記入水路を通して供給される水または前記熱交換器により加熱された加熱湯水を前記電解装置に供給しない非電解状態とに切換え自在な電解状態切換手段が設けられている請求項３および４に記載の電解装置付き給湯装置。
【請求項６】
前記入水路を通して供給される水を前記熱交換器により加熱して出湯する加熱出湯状態と、前記入水路を通して供給される水を前記熱交換器により加熱することなく出湯する非加熱出湯状態とに切換え自在な加熱状態切換手段が設けられている請求項１〜５のいずれか１項に記載の電解装置付き給湯装置。
【請求項７】
前記電解装置により生成される前記次亜塩素酸水を供給する次亜塩素酸水供給路が、前記出湯路とは個別に設けられている請求項１〜６に記載の電解装置付き給湯装置。
【請求項８】
前記制御手段に制御指令を指令するリモコンに、電解状態指令を指令するための電解状態指令手段が設けられ、
前記制御手段は、前記電解状態指令に基づいて、前記電解状態切換手段の切換作動を制御するように構成されている請求項５〜７のいずれか１項に記載の電解装置付き給湯装置。
【請求項９】
前記リモコンに、加熱状態指令を指令するための加熱状態指令手段が設けられ、
前記制御手段は、前記加熱状態指令に基づいて、前記加熱状態切換手段の切換作動を制御するように構成されている請求項８に記載の電解装置付き給湯装置。
【発明の詳細な説明】
【０００１】
【発明の属する技術分野】
本発明は、入水路を通して供給される水を加熱手段により加熱して出湯路に出湯する水加熱用の熱交換器が設けられている給湯装置に関する。
【０００２】
【従来の技術】
上記のような給湯装置において、ガス燃焼式給湯装置または電気温水装置などのように、例えば家庭用の水道などから水が入水路を通して熱交換器に供給され、加熱手段により加熱することにより設定温度の湯水を出湯路に出湯し、台所や洗面所などの所定箇所に設定温度の湯水を出湯するものが知られている。
【０００３】
【発明が解決しようとする課題】
しかしながら、上述のような給湯装置は、設定温度の湯水を所定箇所に出湯するものであり、その湯水は消毒効果のないものであるために、例えば、手を洗うときなど消毒効果のある湯水を必要としているときに、その消毒効果のある湯水を出湯することができないものとなっている。
【０００４】
また、消毒効果のある湯水を得るためには、水道水などのように塩素イオンが含まれている水を電解槽に供給して、その水を電気分解することにより消毒効果のある次亜塩素酸水を生成して、この次亜塩素酸水を所定箇所に供給する電解装置を設置することが考えられる。
しかしながら、上述の給湯装置と上述の電解装置とは個別に設けられているために、手を洗うときなど消毒効果のある次亜塩素酸水を必要とする場合には、電解装置を運転させ、通常の設定温度の湯水を必要とする場合には、給湯装置を運転させるなどのように、必要に応じて使用者が給湯装置と電解装置の運転を各別に操作する必要があり、給湯装置および電解装置の両装置の操作が煩雑になる虞があった。
【０００５】
本発明は、かかる点に着目してなされたものであり、その目的は、使い勝手を良好にしながら、消毒効果のある次亜塩素酸水および通常の湯水を出湯することが可能となる電解装置付き給湯装置を提供する点にある。
【０００６】
【課題を解決するための手段】
この目的を達成するために、請求項１に記載の発明によれば、入水路を通して供給される水を加熱手段により加熱して出湯路に出湯する水加熱用の熱交換器と、電解槽に供給される湯水を電気分解して生成される次亜塩素酸水を供給する電解装置とが一体状態に組み込まれ、前記加熱手段の加熱作動および前記電解装置の作動を制御する制御手段が設けられている。
つまり、熱交換器と電解装置とが一体状態に組み込まれ、加熱手段の加熱作動および電解装置の作動を制御する制御手段が設けられているので、例えば、制御手段に制御指令を指令することにより給湯装置および電解装置の両装置を操作しながら、設定温度の湯水および次亜塩素酸水を出湯することが可能となる。
したがって、給湯装置と電解装置を各別に操作する必要もなく、給湯装置および電解装置の両装置の操作を容易にしながら、設定温度の湯水および消毒効果のある次亜塩素酸水を供給することが可能となる。
又、請求項１に記載の発明によれば、前記熱交換器と前記電解装置とが、共通のケーシング内に組み込まれている。
したがって、熱交換器と電解装置とが、共通のケーシング内に組み込まれているので、熱交換器と電解装置とが別々のケーシング内に組み込まれているものに比べて、装置を設置する際に、ケーシングどうしを接続するなどの作業を必要とせず、装置の設置作業を容易に行うことが可能となる。
さらに、請求項１に記載の発明によれば、前記ケーシングは、その前面カバーを本体部に対して開閉自在に構成され、前記熱交換器が、前記ケーシングの本体部に保持され、前記電解装置が、前記ケーシングの前面カバーの裏面側に、その前面カバーとともに前記本体部に対して開閉されるように設けられている。
つまり、電解装置は、ケーシングの本体部に対して開閉自在な前面カバーの裏面側に設けられているので、ケーシングの前面カバーをケーシングの本体部に対して開閉するだけで電解装置のメンテナンス作業を行うことが可能となるとともに、電解装置を取り外さなくても、電解装置に邪魔されることなく、熱交換器などの本体部に保持されている器具類のメンテナンス作業を行うことが可能となる。
したがって、熱交換器を取り外すなどの作業を必要とせず電解装置のメンテナンス作業を行うことが可能となるとともに、電解装置を取り外すなどの作業を必要とせず熱交換器のメンテナンス作業を行うことができ、熱交換器および電解装置のメンテナンス作業を容易に行うことが可能となる。
【０００９】
請求項２に記載の発明によれば、前記電解装置は、電気分解により発生する発生水素を触媒により酸化反応させる発生水素処理手段を備えている。
つまり、電解槽に供給された湯水を電気分解することにより次亜塩素酸水とともに生成される水素ガスを触媒により酸化反応させて、水素ガス濃度を減少させることが可能となり、水素ガスの引火爆発による事故を未然に防止することが可能である。
【００１０】
請求項３に記載の発明によれば、前記電解装置は、前記入水路を通して供給される水を電気分解するように構成されている。
つまり、熱交換器により加熱された加熱湯水を電気分解するものでは、熱交換器により加熱された加熱湯水を電解装置により電気分解するために、電解槽などに耐熱性が求められ、その分コストアップを招くことになるが、入水路を通して供給される水を電気分解するものでは、熱交換器により加熱される前の入水路を通して供給される水を電解装置により電気分解することになるので、とくに、電解槽などに耐熱性が求められないものとなる。
したがって、熱交換器により加熱された加熱湯水を電気分解するものに比べて、コストの低減を図ることが可能となる。
【００１１】
請求項４に記載の発明によれば、前記電解装置は、前記熱交換器により加熱された加熱湯水を電気分解するように構成されている。
つまり、入水路を通して供給される水を電気分解するものでは、電気分解されて生成された次亜塩素酸水を熱交換器により加熱することになるので、次亜塩素酸水により熱交換器の腐食を早めるなど熱交換器の耐久性を低下させることになるが、熱交換器により加熱された加熱湯水を電気分解するものでは、熱交換器により加熱された加熱湯水を電気分解するので、次亜塩素酸水を熱交換器により加熱することがなく、次亜塩素酸水により熱交換器の腐食を早めるなど熱交換器の耐久性が低下されるのを防止することが可能となる。
【００１２】
請求項５に記載の発明によれば、前記入水路を通して供給される水または前記熱交換器により加熱された加熱湯水を前記電解装置に供給する電解状態と、前記入水路を通して供給される水または前記熱交換器により加熱された加熱湯水を前記電解装置に供給しない非電解状態とに切換え自在な電解状態切換手段が設けられている。
したがって、電解状態切換手段が電解状態と非電解状態とに切換作動することにより、次亜塩素酸水を供給する状態と設定温度の湯水を供給する状態とに適宜切換えることが可能となるので、台所や洗面所などの所定箇所で次亜塩素酸水を必要としているかまたは設定温度の湯水を必要としているかにより必要に応じて電解状態切換手段を切換作動させて、必要に応じた湯水を得ることが可能となり、使い勝手を良好なものとすることが可能となる。
【００１３】
請求項６に記載の発明によれば、前記入水路を通して供給される水を前記熱交換器により加熱して出湯する加熱出湯状態と、前記入水路を通して供給される水を前記熱交換器により加熱することなく出湯する非加熱出湯状態とに切換え自在な加熱状態切換手段が設けられている。
したがって、加熱状態切換手段が加熱出湯状態と非加熱出湯状態とに切換作動することにより、設定温度の湯水を出湯する状態と入水路から供給される水をそのまま供給する状態とに適宜切換えることが可能となるので、台所などの所定箇所で設定温度の湯水または水のどちらを必要としているのかにより必要に応じて加熱状態切換手段を切換作動させて、必要に応じた湯水を得ることが可能となり、使い勝手を良好なものとすることが可能となる。
そして、請求項５との協働作用により、電解状態切換手段および加熱状態切換手段を切換作動させることによって、台所や洗面所などの所定箇所に、通常の水、設定温度の通常の湯水、水のままの次亜塩素酸水、設定温度の次亜塩素酸水の４種類の湯水を供給することができ、使い勝手をより一層向上させることが可能となる。
【００１４】
請求項７に記載の発明によれば、前記電解装置により生成される前記次亜塩素酸水を供給する次亜塩素酸水供給路が、前記出湯路とは個別に設けられている。
つまり、設定温度の湯水が必要となる箇所に、次亜塩素酸水が必ずしも必要となるものではなく、次亜塩素酸水を使用する箇所と設定温度の湯水を使用する箇所とが互いに離れた箇所となる場合があるが、この場合でも、次亜塩素酸水を使用する箇所には、次亜塩素酸水供給路を接続し、設定温度の湯水を使用する箇所には、出湯路を接続することによって、各箇所にて必要な湯水を得ることが可能となる。
したがって、次亜塩素酸水を使用する箇所には、次亜塩素酸水供給路を接続し、設定温度の湯水を使用する箇所には、出湯路を接続するだけで、各箇所にて必要な湯水を得ることが可能となるので、次亜塩素酸水を使用する箇所と設定温度の湯水を使用する箇所とが互いに離れた箇所となっても、装置の設置作業を容易に行うことが可能となる。
【００１５】
請求項８に記載の発明によれば、前記制御手段に制御指令を指令するリモコンに、電解状態指令を指令するための電解状態指令手段が設けられ、前記制御手段は、前記電解状態指令に基づいて、前記電解状態切換手段の切換作動を制御するように構成されている。
つまり、手を洗うときなど次亜塩素酸水を必要とするときには、リモコンにより電解状態指令を指令するだけで、次亜塩素酸水を得ることが可能となり、次亜塩素酸水を必要とする場合と必要としない場合における装置の操作を容易に行うことが可能となる。
【００１６】
請求項９に記載の発明によれば、前記リモコンに、加熱状態指令を指令するための加熱状態指令手段が設けられ、前記制御手段は、前記加熱状態指令に基づいて、前記加熱状態切換手段の切換作動を制御するように構成されている。
つまり、通常の水ではなく、設定温度の湯水を必要とするときには、リモコンにより加熱状態指令を指令するだけで、設定温度の湯水を得ることが可能となり、通常の水を必要とする場合と設定温度の湯水を必要とする場合における装置の操作を容易に行うことが可能となる。
そして、請求項８との協働作用により、リモコンにより制御手段に指令するだけで、台所や洗面所などの所定箇所に、通常の水、設定温度の通常の湯水、水のままの次亜塩素酸水、設定温度の次亜塩素酸水のうちいずれかを得ることが可能となり、装置の操作をより一層容易に行うことが可能となる。
【００１７】
【発明の実施の形態】
本発明にかかる電解装置付き給湯装置を図面に基づいて説明する。
〔第１実施形態〕
この電解装置付き給湯装置は、図１および２に示すように、入水路１を通して供給される水を加熱して出湯路２に出湯する給湯部Ｋと、電解槽３に供給される湯水を電気分解して生成される次亜塩素酸水を供給する電解装置４とが一体状態に共通のケーシングＴ内に組み込まれ、前記給湯部Ｋおよび前記電解装置４の運転を制御する制御手段としての制御部Ｈ、および、前記制御部Ｈに動作情報を指令するリモコン操作部Ｒなども設けられている。
【００１８】
前記給湯部Ｋは、燃焼室５内に設けられている水加熱用の熱交換器６、この熱交換器６を加熱する加熱手段としてのガス燃焼式のバーナ７などから構成され、このバーナ７の上流側から燃焼用空気を通風するとともに、その通風量を変更調整自在なファン８も設けられ、ファン８の回転数を検出する回転数センサ９も設けられている。
そして、熱交換器６には、例えば家庭用の水道などから水が供給される入水路１、加熱後の湯水を手動式の出湯栓１０に出湯する出湯路２がそれぞれ接続されている。
【００１９】
入水路１を通して供給された水道水または熱交換器６により加熱された加熱湯水を電解装置４に供給する電解用湯水供給路１１が、出湯路２に接続され、その接続箇所には、入水路１を通して供給された水道水または熱交換器６により加熱された加熱湯水を電解用湯水供給路１１に供給する電解状態と、入水路１を通して供給された水道水または熱交換器６により加熱された加熱湯水をそのまま出湯路２を通して出湯栓１０に供給する非電解状態に切換自在な電解状態切換手段としての電解状態切換弁１２が設けられている。
なお、この電解状態切換弁１２は、電解用湯水供給路１１に供給する湯水の流量を調整するように構成され、この流量の調整により電解装置４の電解能力を小さいものにしても、電解槽３に供給される湯水を的確に電気分解するようにしている。
【００２０】
また、電解装置４により生成された次亜塩素酸水を出湯栓１０に供給するための次亜塩素酸水供給路１３が出湯路２に接続され、電解用湯水供給路１１および次亜塩素酸水供給路１３により出湯路２を通流する湯水を電解装置４に供給し、電解装置４により生成された次亜塩素酸水を出湯栓１０に供給するようにしている。
つまり、熱交換器６から供給される加熱湯水または水は、電解装置４に供給されて次亜塩素酸水を出湯栓１０に供給する状態と、電解装置４に供給せずに直接出湯栓１０に供給する状態とがあり、この切換えは、電解状態切換弁１２の切換作動により行われるようにしている。
【００２１】
前記入水路１には、熱交換器６への通水量を検出する通水量センサ１４、入水路１を通して供給される水の温度を検出する入水温サーミスタ１５がそれぞれ備えられている。また、出湯路２には、出湯栓１０から出湯される湯水の温度を検出する出湯温サーミスタ１６が設けられている。
【００２２】
バーナ７に対する燃料供給路１７には、燃料供給を断続する電磁操作式の断続弁１８、燃料供給量（バーナ７の燃焼量）を変更調節自在な電磁操作式のガス量調節弁１９が備えられ、バーナ７の近くには、バーナ７に対する点火動作を実行するイグナイタ２０と、バーナ７が着火されているか否かを検出するフレームロッド２１とがそれぞれ備えられている。
【００２３】
前記電解装置４は、電解用湯水供給路１１を通して供給される湯水を電気分解するための電解槽３、この電解槽３に挿入されるプラス電極２２およびマイナス電極２３の両電極、これらプラス電極２２およびマイナス電極２３に通電するための直流通電部２４などから構成され、直流通電部２４からプラス電極２２およびマイナス電極２３に通電することにより、電解槽３内の湯水を電気分解して次亜塩素酸水を生成するように構成されている。なお、電極の枚数については、適宜変更が可能で、プラス電極２２およびマイナス電極２３のそれぞれを２枚以上としてもよく、２枚以上とした場合には、プラス電極２２とマイナス電極２３が交互になるように配設するようにしている。
【００２４】
電気分解について具体的に説明すると、電解槽３に供給される水道水または湯水には、数１０ｐｐｍの塩素イオン（Ｃｌ- ）が含まれており、この水道水または湯水を電気分解すると、マイナス極２３に水素ガス（Ｈ2 ）、プラス極２２に塩素ガス（Ｃｌ2 ）が発生することになる。
−極：２Ｈ+   ＋  ２ｅ-   →  Ｈ2
＋極：２Ｃｌ-   →  Ｃｌ2   ＋  ２ｅ
【００２５】
そして、水素よりも塩素の方が反応性が高く、水素ガスよりも塩素ガスの方が先に発生することになり、先に発生した塩素ガスは、すぐに、周囲の水（Ｈ2 Ｏ）と反応し、塩酸（ＨＣｌ）と次亜塩素酸（ＨＣｌＯ）を生成する。
塩酸（ＨＣｌ）は、水中では水素イオン（Ｈ+ ）と塩素イオン（Ｃｌ- ）にほぼ１００％電離するため、結果的に次亜塩素酸（ＨＣｌＯ）のみが数〜数１０ｐｐｍ生成されることになり、次亜塩素酸水を生成することになる。
Ｃｌ2   ＋  Ｈ2 Ｏ  →  ＨＣｌ  ＋  ＨＣｌＯ
→  Ｈ+   ＋  Ｃｌ-   ＋  ＨＣｌＯ
【００２６】
また、前記電解装置４は、電解槽３で発生した水素などの電解ガスを次亜塩素酸水から気液分離する気液分離部２５と、電気分解により発生する発生水素を触媒Ｂにより酸化反応させる発生水素処理手段２６とが備えられている。
具体的に説明すると、気液分離部２５は、縦長の筒状に形成され、上側連通管２７および下側連通管２８により上下２箇所が電解槽３と連通され、気液分離部２５の下部側には、次亜塩素酸水を供給するための次亜塩素酸水供給路１３が連通接続されている。
そして、電解槽３にて生成された次亜塩素酸水は、オーバーフローして下向きに流れた後、下側連通管２８を通して気液分離部２５の下部に流入することになり、気液分離部２５の下部側が次亜塩素酸水が存在する液層となるようにしている。
また、電気分解により発生した水素ガスを含む電解ガスは、上側連通管２７を通して気液分離部２５の上部に流入することになり、気液分離部２５の上部側が水素ガスを含む電解ガスが溜まるガス層となるようにしている。
【００２７】
そして、気液分離部２５の上端部には、ガス通気孔２９を通して気液分離後の水素ガスを含む電解ガスを発生水素処理手段２６に供給するためのガス連通路３０が連通接続され、気液分離部２５には、次亜塩素酸水の液面レベルに応じて上下動自在なフロート３１、および、このフロート３１に連動してガス通気孔２９を開閉する弁体３２が設けられている。
このようにして、気液分離部２５にて次亜塩素酸水と水素ガスを含む電解ガスとに気液分離され、次亜塩素酸水は次亜塩素酸水供給路１３に供給されることになり、電解ガスは発生水素処理手段２６に供給されることになる。
【００２８】
前記発生水素処理手段２６は、電解ガス中の水素ガスと空気中の酸素とを酸化反応させる反応容器３３内に触媒Ｂが設けられ、反応容器３３に外部の空気を導入するための開口３４が形成されている。
そして、水素ガスを含む電解ガスが下方側から上方側へと流動して、反応容器３３内にて触媒Ｂにより空気中の酸素と酸化反応、すなわち触媒反応することになり、その触媒反応により水素ガス濃度を減少させるようにして、ケーシングＴ外に排出するようにしている。
なお、触媒Ｂとしては、例えば、白金、銅、その他水素ガスと酸素を反応させるための金属触媒が用いられている。
【００２９】
前記リモコン操作部Ｒは、この電解装置付き給湯装置の運転の開始・停止を指令する運転スイッチ３５、設定温度を変更設定自在な温度設定スイッチ３６、ＯＮ状態であることを表示して給湯部Ｋの作動の開始・停止を指令するための加熱状態指令手段としての温水スイッチ３７、ＯＮ状態であることを表示して電解装置４の運転の開始・停止を指令するための電解状態指令手段としての電解水スイッチ３８、出湯温度や設定温度などを表示する表示部３９、バーナ７が燃焼状態であることを表示する燃焼ランプ４１などから構成されている。なお、運転状態であると、表示部３９の設定温度などが表示されるようにしている。
【００３０】
前記制御部Ｈは、マイクロコンピュータを備えて、前記リモコン操作部Ｒによる動作指令に基づいて、電解状態切換弁１２の切換作動を制御するとともに、給湯部Ｋの運転および電解装置４の運転を制御するように構成されている。
つまり、前記制御部Ｈは、リモコン操作部Ｒの運転スイッチ３５がＯＮ操作されている状態において、電解水スイッチ３８がＯＮ操作されるに伴って、電解状態指令が指令されて、入水路１を通して供給された水道水または熱交換器６により加熱された加熱湯水を電解用湯水供給路１１に供給するように電解状態切換弁１２を電解状態に切換えるとともに、電解水スイッチ３８がＯＦＦ操作されるまで直流通電部２４からプラス電極２２およびマイナス電極２３に通電して電解装置４の運転を制御するように構成されている。
【００３１】
そして、前記制御部Ｈは、リモコン操作部Ｒの運転スイッチ３５がＯＮ操作されている状態において、温水スイッチ３７がＯＮ操作されているときには、加熱状態指令が指令されて、熱交換器６への通水が開始されるに伴ってバーナ７の燃焼を開始して、熱交換器６への通水が停止されるに伴なってバーナ７の燃焼を停止させるように制御するとともに、熱交換器６へ通水されている通水状態において、出湯温度が設定温度になるようにバーナ７の燃焼量を調整するように構成されている。
したがって、前記制御部Ｈは、入水路１を通して供給される水を熱交換器６により加熱して出湯する加熱出湯状態と、入水路１を通して供給される水を熱交換器６により加熱することなく出湯する非加熱出湯状態とに切換え自在な加熱状態切換手段として作用するように構成されている。
【００３２】
前記制御部Ｈの動作について説明を加える。
つまり、設定温度の次亜塩素酸水が必要な場合、水のままの次亜塩素酸水が必要な場合、設定温度の通常の湯水が必要な場合、通常の水が必要な場合の４つの場合があり、前記制御部Ｈは、運転スイッチ３５がＯＮ操作されている状態において、温水スイッチ３７および電解水スイッチ３８のＯＮ／ＯＦＦ操作に基づいて、４つの動作のそれぞれを実行するように構成されている。
以下、この４つの動作のそれぞれについて説明する。
【００３３】
第１に、設定温度の次亜塩素酸水が必要な場合、すなわち温水スイッチ３７および電解水スイッチ３８がともにＯＮ操作されているときには、図１の実線矢印に示すように、入水路１を通して供給される水道水を熱交換器６により設定温度に加熱するとともに、その加熱された加熱湯水を電解槽３にて電気分解して次亜塩素酸水を生成し、その次亜塩素酸水を出湯栓１０に供給するようにしている。具体的に説明すると、電解水スイッチ３８がＯＮ操作されるに伴って、電解状態切換弁１２が電解用湯水供給路１１側に切換えるとともに、直流通電部２４よりプラス電極２２およびマイナス電極２３への通電を開始する。
そして、出湯栓１０の開操作に伴って通水量センサ１４にて検出される通水量が設定水量を超えると、ファン８による通風作動を開始し、かつ、断続弁１８を開弁させてガス量調節弁１９を点火用ガス量になるように開弁調整するとともに、イグナイタ２０によってバーナ７へ着火し、フレームロッド２１によって確認する。
【００３４】
その後、入水温サーミスタ１５、出湯温サーミスタ１６、通水量センサ１４のそれぞれの検出情報、および、温度設定スイッチ３６にて設定されている目標温度の情報に基づいて、給湯温度を目標温度にするために必要なバーナ７の燃焼量を演算にて求める。そして、求められた燃焼量に対応するガス量になるようにガス量調節弁１９を調整制御するとともに、ファン８の通風量が調整ガス量に対して適正燃焼状態になるようにファン８の通風量を調整制御するフィードフォワード制御を実行し、さらに、出湯温サーミスタ１６の検出温度が目標温度になるように、ガス量調節弁１９の開度を微調整するフィードバック制御を実行する。
【００３５】
このようにして、上述のフィードフォワード制御およびフィードバック制御を実行することにより、設定温度の湯水が電解槽３に供給されることになる。
そして、電解槽３に供給された湯水がプラス電極２２およびマイナス電極２３への通電により電気分解されて次亜塩素酸水を生成することになり、この次亜塩素酸水が出湯栓１０に供給されるようにしている。
【００３６】
第２に、水のままの次亜塩素酸水が必要な場合、すなわち電解水スイッチ３８がＯＮ操作されかつ温水スイッチ３７がＯＦＦ操作されているときには、図２の実線矢印に示すように、入水路１を通して供給される水道水を熱交換器６により加熱することなく、その水のままの状態で電解槽３にて電気分解して次亜塩素酸水を生成し、その水のままの次亜塩素酸水を出湯栓１０に供給するようにしている。
具体的に説明すると、電解水スイッチ３８がＯＮ操作されるに伴って、電解状態切換弁１２が電解用湯水供給路１１側に切換えらるとともに、直流通電部２４よりプラス電極２２およびマイナス電極２３への通電を開始させ、バーナ７は燃焼を実行しない状態に保持される。
【００３７】
第３に、設定温度の通常の湯水が必要な場合、すなわち温水スイッチ３７がＯＮ操作されかつ電解水スイッチ３８がＯＦＦ操作されているときには、図１の点線矢印に示すように、入水路１を通して供給される水を設定温度に加熱するとともに、その加熱された加熱湯水を電気分解することなく出湯路２に出湯して、出湯栓１０に設定温度の湯水を供給するようにしている。
具体的に説明すると、電解水スイッチ３８がＯＦＦ操作されるに伴って、電解状態切換弁１２が出湯路２側に切換えられ、出湯栓１０の開操作に伴って通水量センサ１４にて検出される通水量が設定水量を超えると、ファン８による通風作動を開始し、かつ、断続弁１８を開弁させてガス量調節弁１９を点火用ガス量になるように開弁調整するとともに、イグナイタ２０によってバーナ７へ着火し、フレームロッド２１によって確認する。
【００３８】
その後、入水温サーミスタ１５、出湯温サーミスタ１６、通水量センサ１４のそれぞれの検出情報、および、温度設定スイッチ３６にて設定されている目標温度の情報に基づいて、給湯温度を目標温度にするために必要なバーナ７の燃焼量を演算にて求める。そして、求められた燃焼量に対応するガス量になるようにガス量調節弁１９を調整制御するとともに、ファン８の通風量が調整ガス量に対して適正燃焼状態になるようにファン８の通風量を調整制御するフィードフォワード制御を実行し、さらに、出湯温サーミスタ１６の検出温度が目標温度になるように、ガス量調節弁１９の開度を微調整するフィードバック制御を実行する。
このようにして、上述のフィードフォワード制御およびフィードバック制御を実行することにより、設定温度の湯水を出湯栓１０に供給するようにしている。
【００３９】
第４に、通常の水が必要な場合、すなわち電解水スイッチ３８および温水スイッチ３７がともにＯＦＦ操作されているときには、図２の点線矢印に示すように、入水路１を通して供給される水道水を熱交換器６により加熱することなく、その水のままの状態で出湯栓１０に供給するようにしている。
具体的に説明すると、電解水スイッチ３８がＯＦＦ操作されるに伴って、電解状態切換弁１２が出湯路２側に切換えられ、バーナ７は燃焼を実行しない状態に保持される。
【００４０】
このようにして、熱交換器６と電解装置４とが一体状態に組み込まれ、バーナ７の加熱作動および電解装置４の作動を制御する制御部Ｈが設けられているので、リモコン操作部Ｒにより制御部Ｈに指令するだけで、台所や洗面所などの所定箇所に、通常の水、設定温度の通常の湯水、水のままの次亜塩素酸水、設定温度の次亜塩素酸水のうちいずれかを得ることが可能となり、装置の操作をより一層容易に行うことが可能となる。
したがって、給湯装置と電解装置４を各別に操作する必要もなく、給湯装置および電解装置４の両装置の操作を容易にしながら、設定温度の湯水および消毒効果のある次亜塩素酸水を供給することが可能となる。
【００４１】
また、熱交換器６により加熱された加熱湯水を電気分解するので、次亜塩素酸水を熱交換器６により加熱することがなく、次亜塩素酸水により熱交換器６の腐食を早めるなど熱交換器６の耐久性が低下されるのを防止することが可能となる。
【００４２】
〔第２実施形態〕
この第２実施形態は、上記第１実施形態の別実施形態であり、電解装置４が入水路１を通して供給される水を電気分解するように構成されている例を示す。
つまり、この第２実施形態においては、上記第１実施形態における電解装置４と熱交換器６の配置位置を湯水の流動方向に逆になるように配置したものであり、その他の構成については、上記第１実施形態と同様であり、同符号を記すことにより、その詳細な説明は省略する。
【００４３】
つまり、図３に示すように、電解装置４が熱交換器６により加熱される前の入水路１を通して供給される水を電気分解するように構成され、入水路１の途中部に電解装置４が設けられている。
そして、入水路１を通して供給される水を電解装置４に供給することなく熱交換器６に供給するための電解装置迂回路４２が入水路１に接続され、電解装置迂回路４２と入水路１との接続箇所に、入水路１を通して供給される水を電解装置４に供給する電解状態と、入水路１を通して供給される水を電解装置４に供給することなく熱交換器６に供給する非電解状態とに切換え自在な電解状態切換弁１２が設けられている。
なお、この電解状態切換弁１２は、電解装置４に供給する流量を調整するように構成され、この流量の調整により電解装置４の電解能力を小さいものにしても、電解槽３に供給される湯水を的確に電気分解するようにしている。
【００４４】
また、電解装置迂回路４２を通流する水が入水路１を通して気液分離部２５に逆流しないように給水路１に逆止弁４０が設けられている。なお、この逆止弁４０を設けなくてもよい。
つまり、入水路１を通して供給される水は、電解装置４に供給されてから熱交換器６に供給される場合と、電解装置４を迂回して熱交換器６に供給される場合とがあり、その切換えは、電解状態切換弁１２の切換作動により行われるようにしている。
【００４５】
そして、制御部Ｈの動作については、上記第１実施形態と同様に、温水スイッチ３７および電解水スイッチ３８のＯＮ／ＯＦＦ操作に基づいて、４つの動作のそれぞれを実行するように構成されている。
以下、この４つの動作のそれぞれについて説明する。
第１に、設定温度の次亜塩素酸水が必要な場合、すなわち温水スイッチ３７および電解水スイッチ３８がともにＯＮ操作されているときには、図３の実線矢印に示すように、電解状態切換弁１２を電解装置４側に切換作動して、入水路１を通して供給される水道水を電解槽３にて電気分解して次亜塩素酸水を生成し、その次亜塩素酸水を熱交換器６により設定温度に加熱して、設定温度の次亜塩素酸水を出湯栓１０に供給するようにしている。
第２に、水のままの次亜塩素酸水が必要な場合、すなわち電解水スイッチ３８がＯＮ操作されかつ温水スイッチ３７がＯＦＦ操作されているときには、図４の実線矢印に示すように、電解状態切換弁１２を電解装置４側に切換作動して、入水路１を通して供給される水道水を電解槽３にて電気分解して次亜塩素酸水を生成し、生成された次亜塩素酸水を熱交換器６により加熱することなく水のままの状態で出湯栓１０に供給するようにしている。
【００４６】
第３に、設定温度の通常の湯水が必要な場合、すなわち温水スイッチ３７がＯＮ操作されかつ電解水スイッチ３８がＯＦＦ操作されているときには、図３の点線矢印に示すように、電解状態切換弁１２を熱交換器６側に切換作動して、入水路１を通して供給される水を設定温度に加熱して出湯栓１０に設定温度の湯水を供給するようにしている。
第４に、通常の水が必要な場合、すなわち電解水スイッチ３８および温水スイッチ３７がともにＯＦＦ操作されているときには、図４の点線矢印に示すように、電解状態切換弁１２を熱交換器６側に切換作動して、入水路１を通して供給される水を電解装置迂回路４２を通して電解装置４に供給することなく熱交換器６に供給し、バーナ７の燃焼が実行しない状態に保持され、その水のままの状態で出湯栓１０に供給するようにしている。
【００４７】
このようにして、電解状態切換弁１２を電解装置４側に切換えて、熱交換器６により加熱される前の水を電解装置４に供給して次亜塩素酸水を生成し、その次亜塩素酸水を熱交換器６に供給するようにしているので、とくに、電解装置４に耐熱性が要求されず、コストアップを招くことを防止することが可能となる。
【００４８】
〔別実施形態〕
（１）上記第１および２実施形態では、電解状態切換手段としての電解状態切換弁１２の切換作動を制御して電解状態と非電解状態に切換えるようにしているが、制御部Ｈが、直流通電部２４よりプラス電極２２およびマイナス電極２３への通電を制御して電解状態と非電解状態とに切換えるようにして、電解状態切換手段として作用するようにしてもよい。
具体的に説明すると、上記第１実施形態においては、図５に示すように、出湯路２の途中部に電解装置４が設けられ、熱交換器６から供給される加熱湯水または水が電解装置４に供給されるように構成され、電解装置４よりも下流側の出湯路２に出湯栓１０に供給する湯水の流量を調整する流量調整弁４３が設けられている。
この流量調整弁４３は、電解槽３にて電気分解するときのみ湯水の流量を調整するように構成され、この流量の調整により電解装置４の電解能力を小さいものにしても、電解槽３に供給される湯水を的確に電気分解するようにしている。なお、電解装置４の電解能力が大きいものでは、とくに、流量調整弁４３を設けなくてもよい。
【００４９】
そして、制御部Ｈは、電解水スイッチ３８がＯＮ操作されているときには、直流通電部２４よりプラス電極２２およびマイナス電極２３への通電を行い、電解水スイッチ３８がＯＦＦ操作されているときには、直流通電部２４よりプラス電極２２およびマイナス電極２３への通電を行わないようにしている。
つまり、制御部Ｈが、電解状態切換手段としての作用するように構成されている。
【００５０】
また、上記第２実施形態においては、図６に示すように、入水路１の途中部に電解装置４が設けられ、電解装置４よりも上流側の入水路１に流量を調整する流量調整弁４４が設けられ、入水路１を通して供給される水が電解装置４に供給されるように構成され、前記流量調整弁４４は、図５に示す流量調整弁４３と同様に、電解槽３にて電気分解するときのみ湯水の流量を調整するように構成され、この流量の調整により電解装置４の電解能力を小さいものにしても、電解槽３に供給される湯水を的確に電気分解するようにしている。なお、電解装置４の電解能力が大きいものでは、とくに、流量調整弁４４を設けなくてもよい。
【００５１】
そして、制御部Ｈは、電解水スイッチ３８がＯＮ操作されているときには、直流通電部２４よりプラス電極２２およびマイナス電極２３への通電を行い、電解水スイッチ３８がＯＦＦ操作されているときには、直流通電部２４よりプラス電極２２およびマイナス電極２３への通電を行わないようにしている。
つまり、制御部Ｈが、電解状態切換手段としての作用するように構成されている。
【００５２】
（２）上記第１および２実施形態では、制御部Ｈが、加熱出湯状態と非加熱出湯状態とに切換作動する加熱状態切換手段として作用するように構成されているが、この構成に代えて、次のように構成してもよい。
上記第１実施形態においては、図７に示すように、入水路１を通して供給される水道水を熱交換器６を迂回して電解装置４に供給するように熱交換器迂回路４５が設けられている。
そして、出湯路２と電解用湯水供給路１１との接続箇所には、第１流路切換弁４６が設けられ、熱交換器迂回路４５と出湯路２との接続箇所には、第２流路切換弁４７が設けられ、これら第１および２流路切換弁４６，４７が、切換ユニットＫＹとして、電解状態切換手段および加熱状態切換手段として作用するように構成されている。
【００５３】
つまり、切換ユニットＫＹは、温水スイッチ３７および電解水スイッチ３８のＯＮ／ＯＦＦ操作に基づいて切換作動されることになり、入水路１を通して供給される湯水を、熱交換器６に供給する状態と熱交換器６を迂回する状態とに切換えるとともに、熱交換器６から供給される加熱湯水または熱交換器６を迂回されて供給される水を、電解装置４に供給して出湯栓１０に供給する状態と電解装置４に供給せずに直接出湯栓１０に供給する状態とに切換えられるようにしている。
【００５４】
以下、切換ユニットＫＹの切換作動について説明する。
設定温度の次亜塩素酸水が必要な場合、すなわち温水スイッチ３７および電解水スイッチ３８がともにＯＮ操作されているときには、入水路１を通して供給される水道水を熱交換器６に供給するように第２流路切換弁４７を切換え、かつ、熱交換器６により加熱された湯水を電解装置４に供給するように第１流路切換弁４６を切換えて、入水路１を通して供給される水道水を熱交換器６により設定温度に加熱するとともに、その加熱された加熱湯水を電解槽３にて電気分解して次亜塩素酸水を生成し、その次亜塩素酸水を出湯栓１０に供給するようにしている。
【００５５】
水のままの次亜塩素酸水が必要な場合、すなわち電解水スイッチ３８がＯＮ操作されかつ温水スイッチ３７がＯＦＦ操作されているときには、入水路１を通して供給される水道水が熱交換器６を迂回して熱交換器迂回路４５を通流するように第２流路切換弁４７を切換え、かつ、熱交換器迂回路４５を通して供給される水道水を電解装置４に供給するように第１流路切換弁４６を切換えて、入水路１を通して供給される水道水を熱交換器６を迂回して、その水のままの状態で電解槽３にて電気分解して次亜塩素酸水を生成し、その水のままの次亜塩素酸水を出湯栓１０に供給するようにしている。
【００５６】
設定温度の通常の湯水が必要な場合、すなわち温水スイッチ３７がＯＮ操作されかつ電解水スイッチ３８がＯＦＦ操作されているときには、入水路１を通して供給される水道水を熱交換器６に供給するように第２流路切換弁４７を切換え、かつ、熱交換器６により加熱された湯水をそのまま出湯路２を通して出湯栓１０に供給するように第１流路切換弁４６を切換えて、入水路１を通して供給される水を設定温度に加熱するとともに、その加熱された加熱湯水を電気分解することなく出湯路２に出湯して、出湯栓１０に設定温度の湯水を供給するようにしている。
通常の水が必要な場合、すなわち電解水スイッチ３８および温水スイッチ３７がともにＯＦＦ操作されているときには、入水路１を通して供給される水道水が熱交換器６を迂回して熱交換器迂回路４５を通流するように第２流路切換弁４７を切換え、かつ、熱交換器迂回路４５を通して供給される水道水をそのまま出湯路２を通して出湯栓１０に供給するように第１流路切換弁４６を切換えて、入水路１を通して供給される水道水を熱交換器６を迂回して、その水のままの状態で出湯栓１０に供給するようにしている。
【００５７】
上記図７に示す構成に代えて、次のように構成してもよい。
つまり、図８に示すように、入水路１を通して供給される水道水を熱交換器６を迂回して電解装置４に供給するように熱交換器迂回路４５が設けられ、熱交換器迂回路４５と出湯路２との接続箇所には、入水路１を通して供給される水道水を熱交換器６に供給する加熱出湯状態と、入水路１を通して供給される水道水を熱交換器６を迂回させる非加熱出湯状態とに切換え自在な加熱状態切換弁４８が設けられている。なお、この加熱状態切換弁４８は、温水スイッチ３７がＯＮ操作されると、加熱出湯状態に切換え、温水スイッチ３７がＯＦＦ操作されると、非加熱出湯状態に切換えられるようにしている。
そして、出湯路２の途中部に電解装置４が設けられ、熱交換器６から供給される加熱湯水または熱交換器６を迂回して供給される水を電解装置４に供給するように構成され、電解装置４よりも下流側の出湯路２に出湯栓１０に供給する湯水の流量を調整する流量調整弁４９が設けられている。
この流量調整弁４９は、図５に示す如く、上記別実施形態（１）に記載のものと同様の構成である。
【００５８】
第２実施形態においては、図９に示すように、熱交換器６よりも下流側の入水路１に、通流する湯水を熱交換器６を迂回して出湯路２に供給する熱交換器用バイパス路５０が設けられている。
そして、熱交換器用バイパス路５０と出湯路２との接続箇所には、通流する湯水を熱交換器６に供給する加熱出湯状態と、通流する湯水を熱交換器６を迂回する非加熱出湯状態とに切換え自在な加熱状態切換弁５１が設けられている。なお、この加熱状態切換弁５１は、温水スイッチ３７がＯＮ操作されると、加熱出湯状態に切換え、温水スイッチ３７がＯＦＦ操作されると、非加熱出湯状態に切換えられるようにしている。
【００５９】
上記図９に示す構成に代えて、次のように構成してもよい。
つまり、図１０に示すように、入水路１の途中部に電解装置４が設けられ、入水路１を通して供給される水が電解装置４に供給されるように構成され、電解装置４よりも上流側の入水路１に流量を調整する流量調整弁５２が設けられ、この流量調整弁５２は、電解槽３にて電気分解するときのみ湯水の流量を調整するように構成され、この流量の調整により電解装置４の電解能力を小さいものにしても、電解槽３に供給される湯水を的確に電気分解するようにしている。なお、電解装置４の電解能力が大きいものでは、とくに、流量調整弁５２を設けなくてもよい。
【００６０】
そして、熱交換器６よりも上流側の入水路１に、通流する湯水を熱交換器６を迂回して出湯路２に供給する熱交換器用バイパス路５３が設けられている。
熱交換器用バイパス路５３と出湯路２との接続箇所には、通流する湯水を熱交換器６に供給する加熱出湯状態と、通流する湯水を熱交換器６を迂回する非加熱出湯状態とに切換え自在な加熱状態切換弁５４が設けられている。なお、この加熱状態切換弁５４は、温水スイッチ３７がＯＮ操作されると、加熱出湯状態に切換え、温水スイッチ３７がＯＦＦ操作されると、非加熱出湯状態に切換えられるようにしている。
【００６１】
（３）上記第１および２実施形態では、電解装置４により電気分解されて生成された次亜塩素酸水と通常の湯水とを共通の出湯栓１０に供給するようにしているが、次亜塩素酸水供給路１３と出湯路２とを個別に設けて、次亜塩素酸水と通常の湯水とを別々の箇所に供給するようにしてもよい。
つまり、上記第１実施形態においては、図１１に示すように、次亜塩素酸水供給路１３は、出湯路２と個別に設けられ、次亜塩素酸水専用の供給部５５に次亜塩素酸水を供給するようにしている。
【００６２】
また、上記第２実施形態においては、図１２に示すように、出湯路２から次亜塩素酸水供給路１３が分岐接続され、その接続箇所に、出湯路２を通して出湯栓１０に供給する状態と次亜塩素酸水供給路１３を通して次亜塩素酸水専用の供給部５５に供給する状態とを切換え自在な供給箇所切換弁５６が設けられ、この供給箇所切換弁５６は、通常の湯水を必要とするときには、出湯路２を通して出湯栓１０に供給する状態に切換えられ、次亜塩素酸水を必要とするときには、次亜塩素酸水供給路１３を通して次亜塩素酸水専用の供給部５５に供給する状態に切換えられるようにしている。
【００６３】
なお、図１２において、気液分離部２５の底部から次亜塩素酸水専用の供給部５５に次亜塩素酸水を供給するための次亜塩素酸水供給路１３を接続するようにして、水のままの次亜塩素酸水を必要とするときには、この次亜塩素酸水供給路１３を通して次亜塩素酸水専用の供給部５５に水のままの次亜塩素酸水を供給するようにしてもよい。
【００６４】
（４）上記第１および２実施形態において、ケーシングＴは、その前面カバーＴ２を本体部Ｔ１に対して開閉自在に構成され、熱交換器６がケーシングＴの本体部Ｔ１に保持され、電解装置４がケーシングＴの前面カバーＴ２の裏面側に、その前面カバーＴ２とともに本体部Ｔ１に対して開閉させるように設けてもよい。つまり、図１３に示すように、ケーシングＴの前面カバーＴ２は、ケーシングＴの本体部Ｔ１に揺動開閉自在に構成され、その前面カバーＴ２の裏面側に電解装置４が保持され、熱交換器６やバーナ７などが本体部Ｔ１に保持され、電解装置４と熱交換器６との配管の接続は、フレキシブル管Ｆを用いるようにしている。なお、フレキシブル管Ｆの本数は、必要に応じて適宜変更される。
そして、前面カバーＴ２を本体部Ｔ１に対して揺動開閉すると、前面カバーＴ２とともに電解装置４が本体部Ｔ１に対して揺動開閉することになる。
なお、図１３においては、前面カバーＴ２を本体部Ｔ１に対して揺動開閉自在に構成したが、前面カバーＴ２をビスなどにより本体部Ｔ１に対して着脱自在に構成してもよい。
【００６５】
（５）上記第１および２実施形態では、電解装置４が発生水素処理手段２６を備えるようにしているが、電解装置４は、発生水素処理手段２６に代えて、水素ガスを含む電解ガスをケーシングＴ外に排出する排出手段を備えるようにしてもよい。
【００６６】
（６）上記第１および２実施形態では、加熱手段としてガス燃焼式のバーナ７を例示しているが、ガスの他に石油などを燃焼させるバーナ７でもよい。
また、加熱手段としてバーナ７に代えて、太陽熱を利用して貯湯タンクに貯留している貯留水を加熱するようにしてもよく、あるいは、電気ヒータにより加熱するようにした電気温水器を適応するようにしてもよい。
【図面の簡単な説明】
【図１】第１実施形態における電解装置付き給湯装置の全体概略構成図
【図２】第１実施形態における電解装置付き給湯装置の全体概略構成図
【図３】第２実施形態における電解装置付き給湯装置の全体概略構成図
【図４】第２実施形態における電解装置付き給湯装置の全体概略構成図
【図５】第１実施形態の別実施形態における電解装置付き給湯装置の全体概略構成図
【図６】第２実施形態の別実施形態における電解装置付き給湯装置の全体概略構成図
【図７】第１実施形態の別実施形態における電解装置付き給湯装置の全体概略構成図
【図８】第１実施形態の別実施形態における電解装置付き給湯装置の全体概略構成図
【図９】第２実施形態の別実施形態における電解装置付き給湯装置の全体概略構成図
【図１０】第２実施形態の別実施形態における電解装置付き給湯装置の全体概略構成図
【図１１】第１実施形態の別実施形態における電解装置付き給湯装置の全体概略構成図
【図１２】第２実施形態の別実施形態における電解装置付き給湯装置の全体概略構成図
【図１３】第１および２実施形態の別実施形態における電解装置付き給湯装置の概略配置図
【符号の説明】
１              入水路
３              電解槽
４              電解装置
６              熱交換器
７              加熱手段
１２            電解状態切換手段
１３            次亜塩素酸水供給路
２６            発生水素処理手段
３７            加熱状態指令手段
３８            電解状態指令手段
Ｈ              制御手段
Ｒ              リモコン
Ｔ              ケーシング
Ｔ１            ケーシングの本体部
Ｔ２            ケーシングの前面カバー
【図１】
0004127939.tif 000002
【図２】
0004127939.tif 000003
【図３】
0004127939.tif 000004
【図４】
0004127939.tif 000005
【図５】
0004127939.tif 000006
【図６】
0004127939.tif 000007
【図７】
0004127939.tif 000008
【図８】
0004127939.tif 000009
【図９】
0004127939.tif 000010
【図１０】
0004127939.tif 000011
【図１１】
0004127939.tif 000012
【図１２】
0004127939.tif 000013
【図１３】
0004127939.tif 000014